(57)【要約】【課題】画像データを蓄積、保存する場合に画像データを整理して保存し、所望する画像を検索する際や画像の整理などの容易にする。【解決手段】端末装置２００は、送信対象の画像データを選択し（Ｓ２）、端末装置の固有の識別情報又は端末装置２００に保存された識別情報のうち選択された一の識別情報を付加して（Ｓ３）サーバ１００に送信する（Ｓ３）。サーバ１００は、画像データに付加された識別情報に基づいて、画像データの格納領域を決定し（Ｓ６）、その格納領域に前記画像データを書き込む（Ｓ７）。【選択図】図６
2006244175.tif 000002
【特許請求の範囲】
【請求項１】
サーバ装置と、前記サーバ装置に接続される端末装置と、を備え、
前記端末装置は、画像データを格納する端末格納手段と、
前記端末格納手段に格納された画像データの中から送信対象の画像データを選択する画像選択手段と、
前記端末装置に保存され、特定の人と関連付けられた固有の識別情報を前記画像データに付加する識別情報付加手段と、
前記識別情報が付加された前記画像データを、前記サーバ装置に送信する送信手段と、を備え、
前記サーバ装置は、前記識別情報が付加された前記画像データを受信する画像データ受信手段と、
前記画像データを格納するサーバ格納手段と、
前記識別情報に基づいて、前記サーバ格納手段における前記画像データの格納先領域を決定する領域決定手段と、
前記格納先領域に前記画像データを書き込む画像データ書込手段と、
を備える画像管理システム。
【請求項２】
画像データを送信する端末装置に保存され、特定の人と関連付けられた固有の識別情報が付加された画像データを受信する画像データ受信手段と、
前記画像データを格納するサーバ格納手段と、
前記識別情報に基づいて、前記格納手段における前記画像データの格納先領域を決定する領域決定手段と、
前記格納先領域に前記画像データを書き込む画像データ書込手段と、
を備えるサーバ装置。
【請求項３】
前記画像データは、前記画像データが格納されている格納領域の構成を示す情報が更に付加され、
前記領域決定手段は、前記格納領域の構成を示す情報に対応する格納領域がすでに前記サーバ格納手段にある場合には、前記格納領域を前記画像データの格納先領域として決定し、前記格納領域の構成を示す情報に対応する格納領域が前記サーバ格納手段にない場合には、前記格納領域の構成を示す情報に対応する格納領域を新たに作り、その新たに作った格納領域を前記画像データの格納先領域として決定する、
請求項２に記載のサーバ装置。
【請求項４】
画像データを格納する端末格納手段と、
前記端末格納手段に格納された画像データの中から送信対象の画像データを選択する画像選択手段と、
送信する携帯電話機に保存され、特定の人と関連付けられた固有の識別情報を前記画像データに付加する識別情報付加手段と、
前記識別情報が付加された前記画像データを、その画像データを保存するサーバ装置に送信する送信手段と、
を備える携帯電話機。
【請求項５】
前記送信手段は、前記サーバ装置との間で赤外線通信を行なうための赤外線通信手段、前記サーバ装置との間で無線通信を行うための無線通信手段、又は前記サーバ装置に装置間接続ケーブルを用いて接続する有線通信手段のうちの少なくとも一つにより構成される、請求項４に記載の携帯電話機。
【請求項６】
前記識別情報付加手段は、前記画像データが格納されている格納領域の構成を示す情報を前記画像データに更に付加する、請求項４又は５に記載の携帯電話機。
【請求項７】
画像データと、前記画像データを送信した通信装置に保存され、特定の人と関連付けられた固有の識別情報と、が対応付けられた画像情報を受信する画像情報受信ステップと、
前記識別情報に基づいて、前記画像データを格納するための格納先領域を決定する領域決定ステップと、
前記格納先領域に前記画像データを書き込むステップと、
をコンピュータに実行させるプログラム。
【請求項８】
送信対象の画像データを選択する画像選択ステップと、
送信する端末装置に保存され、特定の人と関連付けられた固有の識別情報を前記画像データに付加する識別情報付加ステップと、
前記識別情報が付加された前記画像データを、その画像データを保存するサーバ装置に送信する送信ステップと、
をコンピュータに実行させるプログラム。
【発明の詳細な説明】
【技術分野】
【０００１】
本発明は画像管理システム、サーバ装置、携帯電話機及びプログラムに係り、特に通信機能を備えた撮像装置（例えばカメラ付き携帯電話機）によって記録された電子画像ファイルの保存管理を容易にする技術に関する。
【背景技術】
【０００２】
携帯電話機により撮影した画像データを受信して保存する装置がある。
【０００３】
特許文献１には、携帯電話機で撮影した画像データを無線回線から受信する固定画像入出力装置が開示されている。この固定画像入出力装置は、受信した画像データを印画手段で印画する。
【特許文献１】特開平１１−５５６０７号公報
【発明の開示】
【発明が解決しようとする課題】
【０００４】
ところで、近年、カメラ付き携帯電話やデジタルカメラ等が普及しており、撮影した画像データを家庭等で手軽に管理することができる。また、最近のハードディスクやメモリカード等の記憶媒体の大容量化により、大量の画像データを保存することができる。しかしながら、大量の画像データを整理するのは難しく、必要な画像データが大量の画像データに埋もれてしまい、探し出すのが困難になるという問題がある。
【０００５】
上記の特許文献１に開示された固定画像入出力装置は、携帯電話機から画像データを受信、保存、印刷することができるが、大量の画像データが蓄積された場合に、所望する画像データを探すのに手間がかかる。
【０００６】
本発明はこのような事情に鑑みてなされたもので、画像データを蓄積、保存する場合に画像データを整理して保存し、所望する画像を検索したり、画像の整理をしたりするときの便宜を図ることができる画像管理システム、サーバ装置、携帯電話機及びプログラムを提供することを目的とする。
【課題を解決するための手段】
【０００７】
上記問題を解決するために、本発明に係る画像管理システムは、サーバ装置と、前記サーバ装置に接続される端末装置と、を備え、前記端末装置は、画像データを格納する端末格納手段と、前記端末格納手段に格納された画像データの中から送信対象の画像データを選択する画像選択手段と、前記端末装置に保存され、特定の人と関連付けられた固有の識別情報を前記画像データに付加する識別情報付加手段と、前記識別情報が付加された前記画像データを、前記サーバ装置に送信する送信手段と、を備え、前記サーバ装置は、前記識別情報が付加された前記画像データを受信する画像データ受信手段と、前記画像データを格納するサーバ格納手段と、前記識別情報に基づいて、前記サーバ格納手段における前記画像データの格納先領域を決定する領域決定手段と、前記格納先領域に前記画像データを書き込む画像データ書込手段と、を備える。
【０００８】
これにより、画像データに付加された識別情報に基づいて特定の人に対応させた格納先領域を決定し、その格納先領域に画像データを格納することができる。
【０００９】
また、本発明に係るサーバ装置は、画像データを送信する端末装置に保存され、特定の人と関連付けられた固有の識別情報が付加された画像データを受信する画像データ受信手段と、前記画像データを格納するサーバ格納手段と、前記識別情報に基づいて、前記格納手段における前記画像データの格納先領域を決定する領域決定手段と、前記格納先領域に前記画像データを書き込む画像データ書込手段と、を備える。
【００１０】
また、前記画像データは、前記画像データが格納されている格納領域の構成を示す情報が更に付加され、前記領域決定手段は、前記格納領域の構成を示す情報に対応する格納領域がすでに前記サーバ格納手段にある場合には、前記格納領域を前記画像データの格納先領域として決定し、前記格納領域の構成を示す情報に対応する格納領域が前記サーバ格納手段にない場合には、前記格納領域の構成を示す情報に対応する格納領域を新たに作り、その新たに作った格納領域を前記画像データの格納先領域として決定してもよい。
【００１１】
これにより、サーバ装置の格納手段に、画像データに付加された格納領域の構成と同じ構成を生成することができる。
【００１２】
また、本発明に係る携帯電話機は、画像データを格納する端末格納手段と、前記端末格納手段に格納された画像データの中から送信対象の画像データを選択する画像選択手段と、送信する携帯電話機に保存され、特定の人と関連付けられた固有の識別情報を前記画像データに付加する識別情報付加手段と、前記識別情報が付加された前記画像データを、その画像データを保存するサーバ装置に送信する送信手段と、を備える。
【００１３】
また、前記送信手段は、前記サーバ装置との間で赤外線通信を行なうための赤外線通信手段、前記サーバ装置との間で無線通信を行うための無線通信手段、又は前記サーバ装置に装置間接続ケーブルを用いて接続する有線通信手段のうちの少なくとも一つにより構成されてもよい。
【００１４】
また、前記識別情報付加手段は、前記画像データが格納されている格納領域の構成を示す情報を前記画像データに更に付加してもよい。
【００１５】
また、本発明に係るプログラムは、画像データと、前記画像データを送信した通信装置に保存され、特定の人と関連付けられた固有の識別情報と、が対応付けられた画像情報を受信する画像情報受信ステップと、前記識別情報に基づいて、前記画像データを格納するための格納先領域を決定する領域決定ステップと、前記格納先領域に前記画像データを書き込むステップと、をコンピュータに実行させてもよい。
【００１６】
また、本発明に係るプログラムは、送信対象の画像データを選択する画像選択ステップと、送信する端末装置に保存され、特定の人と関連付けられた固有の識別情報を前記画像データに付加する識別情報付加ステップと、前記識別情報が付加された前記画像データを、その画像データを保存するサーバ装置に送信する送信ステップと、をコンピュータに実行させてもよい。
【発明の効果】
【００１７】
上記発明により、画像データに付加された特定の人と関連付けられた識別情報に基づいて画像データの格納先領域を決定することができるため、画像データを特定の人と関連付けて保存することができる。そのため、所望する画像を検索する際や画像の整理などの便宜を図ることができる。
【発明を実施するための最良の形態】
【００１８】
以下添付図面に従って本発明の好ましい実施の形態について詳説する。ここでは、本発明を家庭用の電子アルバムシステムに適用した例を述べる。
【００１９】
［概略構成］
図１は本発明の実施形態に係る電子アルバムシステムの概要を示す概念図である。
【００２０】
電子アルバム１００は、携帯電話機２００やデジタルカメラ２５０、カメラ付きのＰＤＡなど撮影した画像を収集・整理・保存・閲覧・プリントすることができる家庭用デジタル画像アルバムサーバ（以下「電子アルバム」という。）である。
【００２１】
電子アルバム１００は、携帯電話機２００と赤外線通信（ＩｒＤＡ）を行い、携帯電話機２００から画像データを取得することができる。また、電子アルバム１００は、デジタルカメラ２５０とＵＳＢポートを介して接続し、デジタルカメラ２５０に挿入されたスマートメディア２５１に記録された画像データを読み取る。また、電子アルバム１００は、ＣＤ／ＤＶＤドライブを備え、ＣＤ／ＤＶＤドライブによりＣＤやＤＶＤ４０から画像データを読み取ったり、画像データを書き込んだりする。
【００２２】
電子アルバム１００は、プリンタ機能を備え、電子アルバム１００に記録されたデジタル画像をプリントアウトすることができる。また、電子アルバム１００は、映像出力端子（ライン端子）を備え、テレビ５０に接続できる。これにより、電子アルバム１００に記録された画像をテレビ５０に表示することができる。
【００２３】
［電子アルバム］
図２は、本発明に係る電子アルバム１００の機能ブロック図である。
【００２４】
図２は電子アルバム１００の機能ブロック図である。電子アルバム１００は、ＭＣＵ（Microcontroller Unit、所謂ワンチップマイコン）などで構成され各種演算及び演算に必要なデータの一時記憶を行なう制御部７と、表示コントローラ３２と、Ｒ／Ｗ制御部３３と、通信インターフェース（Ｉ／Ｆ）部２３を介して通信を行う通信部３５と、内蔵バッテリーや家庭用電源などにより電子アルバム１００の各所に電力を供給する電力供給部２６と、半導体記憶装置やハードディスクユニットなどで構成された大容量の記憶装置３６と、ＲＡＭ８に記憶された画像に所定の画像加工処理を実行する画像処理部３７とを備える。制御部７、ＲＡＭ８、ＥＥＰＲＯＭ９、プリンタ部２５、通信部３５、記憶装置３６、Ｒ／Ｗ制御部３３、表示コントローラ３２、電力供給部２６及び画像処理部３７はバス３４で接続されている。
【００２５】
電力供給部２６は待機状態即ち電子アルバム１００が使用されていない場合でも制御部７に電力を供給することができる。その他の各所への電力供給は制御部７の指示に応じて開始・終了する。各所への電力供給が行われている状態即ち電子アルバム１００が使用されている状態を動作状態という。
【００２６】
制御部７は、選択ボタン１７、ページ送りボタン１８、電源ボタン１９からなる操作部１６と、挿抜検出部２４と接続されており、各部からの信号を入力する。電源ボタン１９は、電力供給部２６に電力供給のオン・オフを指示するスイッチであり、電源オン・オフを示す信号を制御部７に入力する。選択ボタン１７は、記憶媒体４０から読み込んだ画像の選択など各種の選択を行うスイッチであり、特に用途は限定されない。ページ送りボタン１８は図示しない順送りスイッチと逆送りスイッチとを有している。
【００２７】
挿抜検出部２４はＳＤカード、メモリスティック、コンパクトフラッシュ（登録商標）、スマートメディアなどの記憶媒体４０がメディアスロット（挿入口）に挿入されたことまたはメディアスロットから取り出されたことを検出する。挿抜検出部２４はＲ／Ｗ制御部３３に設けてもよい。
【００２８】
Ｒ／Ｗ制御部３３は、図示しないメディアスロットに挿入された記憶媒体４０に記憶される画像を読み出し、また画像を記憶媒体４０に書き込む。画像は通信部３５から受信してもよく、以下の記述において記憶媒体４０に記憶される画像を通信部３５が受信した画像と置き換えても電子アルバム１００の動作内容は同様である。
【００２９】
通信Ｉ／Ｆ部２３は、赤外線通信を行なうためのＩｒＤＡポート、ＵＳＢポートなどにより構成され、携帯電話機２００との赤外線通信や、デジタルカメラ２５０とのＵＳＢ接続に使用する。通信部３５は、通信Ｉ／Ｆ部２３を介しての画像データの送受信などの通信を制御する。
【００３０】
表示コントローラ３２は、映像出力端子などからなる表示インターフェース（Ｉ／Ｆ）部３１を介して、記憶媒体４０や記憶装置３６から読み込んだ画像をテレビ５０に表示させる。
【００３１】
記憶装置３６は大容量のハードディスクユニットなどで構成され、記憶媒体４０から読み込まれた画像データや通信部３５の受信した画像データを記憶する。
【００３２】
画像処理部３７はＭＣＵ、ＣＰＵ、などで構成される演算回路であって、ＥＥＰＲＯＭ９に記録された画像処理プログラムを適宜ＲＡＭ８上にロードし、ＲＡＭ８上の画像データに画像処理を施す。
【００３３】
プリンタ部２５は、記録媒体４０や記憶装置３６に格納されている画像データをＴＡペーパーなどの印刷媒体にプリントする。プリンタ部２５は、ＴＡ方式と呼ばれる印画方式を採用したもので、熱を加えると発色し、所定の波長の光を照射すると定着するという特性を有するＴＡペーパーを使用する。
【００３４】
図３は、電子アルバム１００の制御部７が実行するプログラムを示すブロック図である。制御部７は、プログラムである画像データ受信部７ａ、領域決定部７ｂ、書込み部７ｃを実行する。これらのプログラムはＥＥＰＲＯＭ９に記憶されており、制御部７が適宜プログラムをＲＡＭ８にロードして実行する。これらのプログラムにより実行する処理の内容の詳細は後述する。
【００３５】
［携帯電話機］
図４は、電子アルバムシステムに使用される携帯電話機の機能ブロック図である。
【００３６】
携帯電話機２００は、カメラ部２０１、画像メモリ２０２、圧縮伸張部２０３、メモリ２０４、表示部２０５、赤外線通信部２０６、無線通信部２０７、操作部２０８、制御部２０９、アンテナ２１０を有している。なお、通常の携帯電話機として機能するためのマイクやスピーカ等も設けられているが、図４では省略している。
【００３７】
制御部２０９は、携帯電話機２００の各回路ブロックと接続されており、テンキーなどの操作キーを含む操作部２０８から入力される指示信号に基づいて各ブロックを制御する。操作部２０８に設けられたシャッターボタンが押下されると制御部２０９はカメラ部２０１に撮像の開始を指示し、カメラ部２０１はこれに応じて撮像を行う。
【００３８】
カメラ部２０１は撮像して画像データを生成し、画像メモリ２０２に記憶する。画像メモリ２０２に記憶された画像データは液晶画面等で構成された表示部２０５に表示できる。この画像データは圧縮伸張部２０３で圧縮処理されてメモリ２０４に記憶される。
【００３９】
制御部２０９は、携帯電話機に保存された特定の人に固有の識別情報、例えば、携帯電話機を所有する人を示す情報としての電話番号、メールアドレス、携帯電話機に登録された所有者の名前などを画像データに付加する。携帯電話機のアドレス帳機能を使って他人の名前、携帯電話番号、メールアドレスなどが登録されている場合には、アドレス帳から他人の名前、携帯電話番号、メールアドレスを指定しても良い。本実施の形態では識別情報として電話番号を用いる。
【００４０】
赤外線通信部２０６は、電子アルバム１００との間で赤外線通信（ＩｒＤＡ）を行い、識別情報が付加された画像データを電子アルバム１００に送信する。電子アルバム１００との通信手段として赤外線通信部２０６のほか、電子アルバム１００と無線通信を行なう無線通信部や、電子アルバム１００に接続ケーブルを用いて接続するための装置間有線通信部（例えばＵＳＢ接続ポート）などにより構成しても良い。
【００４１】
また、携帯電話機２００は、無線通信部２０７を備える。制御部２０９は、音声データや画像データを所定のプロトコルに変換し、無線通信部２０７を介してアンテナ２１０から送信及び受信する。
【００４２】
携帯電話機２００は、インターネットを介して特定のＵＲＬ（Uniform Resource Locator）で指定されるサーバ装置にアクセスしてＪａｖａ（登録商標）アプリケーション等の各種アプリケーションをダウンロードしてメモリ２０４に保存する機能を有する。制御部２０９は、メモリ２０４に保存したアプリケーションを実行する。
【００４３】
図５は、携帯電話機２００の制御部２０９が実行するプログラムを示すブロック図である。制御部２０９は、プログラムである画像選択部２０９ａ、識別情報付加部２０９ｂ、送信部２０９ｃを実行する。このプログラムは、インターネットを介して接続されたサーバ装置からダウンロードしたアプリケーションプログラムであってもよい。この場合、ダウンロードしたプログラムをメモリ２０４に保存し、制御部２０９が適宜アプリケーションプログラムを起動してもよい。または、このプログラムをあらかめ図示しないＥＥＰＲＯＭに記録し、制御部２０９がＥＥＰＲＯＭからメモリ２０４に読み出して実行しても良い。これらのプログラムにより実行する処理の内容の詳細は後述する。
【００４４】
［動作の流れ］
図６は、携帯電話機２００と電子アルバム１００との間の処理の流れを示すシーケンス図である。以下、各ステップ順に説明する。
【００４５】
Ｓ１では、携帯電話機２００の制御部２０９が、メモリ２０４に保存されたアプリケーションプログラムを起動する（Ｓ１）。
【００４６】
Ｓ２では、画像選択部２０９ａが画像メモリ２０２から画像データを読み出し表示部２０５に表示する。ユーザは、操作部２０８を操作して送信対象の画像データを選択し、決定指示を入力する。画像選択部２０９ａは、決定指示に従って送信対象の画像データを決定する（Ｓ２）。
【００４７】
Ｓ３では、識別情報付加部２０９ｂは、携帯電話機２００の固有の電話番号情報を送信対象の画像データのヘッダー情報に付加する（Ｓ３）。図７は、ヘッダー情報に付加される電話番号情報を示す模式図である。図７（a）では、送信対象となる２つの画像データ（画像データ１、画像データ２）のヘッダー情報に携帯電話機２００の固有の電話番号を付加する。
【００４８】
携帯電話機２００が他の電話番号をメモリ２０４に記録するメモリダイヤルを備える場合には、そのメモリダイヤルから所望する電話番号を検索し、その電話番号を画像データのヘッダー情報に付加してもよい。これにより、画像データに付加したい電話番号をメモリダイヤルに登録しておけば、任意の電話番号を画像データに付加することができる。例えば、固有の電話番号が「０９０−××××―××××」の携帯電話機２００の場合、画像データに「０９０−××××―××××」を付加してもよいし、携帯電話２００のメモリダイヤルに登録された電話番号のなかから「０８０−××××―××××」を選択し、この「０８０−××××―××××」をヘッダー情報に付加してもよい。
【００４９】
また、携帯電話機２００の画像メモリ２０２において、フォルダ（画像データを格納するメモリ領域）を生成し、そのフォルダに画像データを格納している場合には、識別情報付加部２０９ｂが電話番号に加えて画像データが格納されるフォルダ名をヘッダー情報に付加してもよい。図７（ｂ）では、電話番号に加えて画像データ１、画像データ２を格納するフォルダ名を付加した例を示す。
【００５０】
更に、携帯電話機２００の画像メモリ２０２においてフォルダが階層構造（ツリー構造）状に生成され、そのフォルダに画像データが格納されている場合には、識別情報付加部２０９ｂは、フォルダの階層構造を示す情報を画像データに付加してもよい。この場合、フォルダの階層構造をヘッダー情報に付加してもよいし、識別情報付加部２０９ｂがフォルダ構造を示すＱＲコードを生成してもよい。図７（ｃ）では、フォルダ構造を示す情報をＱＲコード（２次元コード）を用いて生成し、ヘッダー情報に代えてこのＱＲコードを画像データ１、画像データ２に付加する。ＱＲコードで示されるフォルダ構造は、第一階層フォルダ名に電話番号「０８０××××××××」（携帯電話機２００の固有の電話番号）を用い、第一階層フォルダの下位層に、第二階層フォルダとして任意のフォルダ名（例えば旅行、運動会など）のフォルダを一つ又は複数生成し、これらのフォルダのツリー構造を示すものである。これにより、電話番号とフォルダ構造とを画像データに付加することができる。
【００５１】
Ｓ４では、送信部２０９ｃが識別情報を付加された画像データを、赤外線通信部２０６を介して電子アルバム１００に送信する（Ｓ４）。
【００５２】
Ｓ５では、電子アルバム１００の画像データ受信部７ａが、通信Ｉ／Ｆ部２３及び通信部３５を介して画像データを受信する（Ｓ５）。
【００５３】
Ｓ６では、領域決定部７ｂが、受信した画像データのヘッダー情報又はＯＲコードに基づいて、記憶装置３６における画像データの格納先領域を決定する（Ｓ６）。図８は、電子アルバム１００における画像データの格納先領域決定処理の流れを示すフローチャートである。図８（ａ）は、画像データのヘッダー情報に電話番号が付加された場合（図４（ａ）に相当）に領域決定部７ｂが行なう処理を示す。Ｓ６０１では、領域決定部７ｂがヘッダー情報から電話番号を読み取り、電子アルバム１００の記憶装置３６にその電話番号名のフォルダがあるか否かを判断する（Ｓ６０１）。あればその電話番号がフォルダ名として登録されているフォルダを格納先領域として決定し（Ｓ６０２）、なければ電話番号名のフォルダを新たに作成し、作成したフォルダを格納先領域に決定するＳ６０３）。図８（ｂ）は、画像データのヘッダー情報またはＯＲコードに電話番号及びフォルダ名（フォルダ構造）が付加されている場合（図４（ｂ）、図４（ｃ）に相当）に領域決定部７ｂが行なう処理を示す。Ｓ６０４ではＳ６０１と同様に領域決定部７ｂがヘッダー情報又はＱＲコードから電話番号を読み取り、電子アルバム１００の記憶装置３６にその電話番号名のフォルダがあるか否かを判断する（Ｓ６０４）。あればＳ６０５へ進み、なければ電話番号名のフォルダを新たに作成し、作成したフォルダを格納先領域に決定する（Ｓ６０６）。Ｓ６０５では、領域決定部７はその電話番号のフォルダの下位層にヘッダー情報又はＱＲコードに含まれるフォルダがあるか否かを判断する（Ｓ６０５）。あればすでに登録されているフォルダを格納先領域として決定し（Ｓ６０７）、なければ電話番号名のフォルダの下位層に、そのフォルダ名のフォルダを新たに作成し、作成したフォルダを格納先領域に決定する（Ｓ６０８）。
【００５４】
Ｓ７では、書込み部７ｃが、記憶装置３５におけるＳ６で決定した格納先領域に画像データを書き込む（Ｓ７）。
【００５５】
本実施の形態により、携帯電話機２００から電子アルバム１００に対して画像データを送信すると、電子アルバム１００がその画像データに追加された電話番号及びフォルダ名に基づいて画像データを格納する領域を自動的に決定し、保存することができる。最近の携帯電話機の普及にともない、ほぼ家族の各々が一台ずつ携帯電話機を所有している。そのため、家庭用の電子アルバム１００において携帯電話機の電話番号に基づいて画像データを格納すると、家族の個々人を特定して画像データを保存することができる。
【００５６】
上記の例では電子アルバム１００と携帯電話機２００とを赤外線通信により接続して、携帯電話機２００から画像データを電子アルバム１００に送信した。しかし、電子アルバム１００と接続する端末装置は携帯電話機２００に限らず、デジタルカメラ２５０や、カメラ付きＰＤＡなどでもよい。そして、デジタルカメラ２５０やカメラ付きＰＤＡの固有の識別番号としユーザがデジタルカメラ２５０やカメラ付きＰＤＡを操作して設定した任意の識別情報（例えば撮影者の名前を示す情報、メールアドレス）を画像データに付加してもよい。また、その画像データは、携帯電話機２００等が撮影した画像データだけでなく、携帯電話機２００が受信した電子メールに添付された画像データでもよい。
【図面の簡単な説明】
【００５７】
【図１】本発明の実施形態に係る電子アルバムシステムのハードウェア構成例を示すブロック図
【図２】電子アルバムサーバの機能ブロック図
【図３】電子アルバムサーバが実行するプログラムを示すブロック図
【図４】携帯電話機の機能ブロック図
【図５】携帯電話機が実行するプログラムを示すブロック図
【図６】携帯電話機及び電子アルバムの処理の流れを示すシーケンス図
【図７】画像データに添付されるヘッダー情報およびＱＲコードに含まれるフォルダ構造情報を示す模式図
【図８】領域決定部７ｂが実行する処理の流れを示すフローチャート
【符号の説明】
【００５８】
７：制御部、８：ＲＡＭ、９：ＥＥＰＲＯＭ、１６：操作部、１７：選択ボタン、１８：ページ送りボタン、１９：電源ボタン、２３：通信Ｉ／Ｆ部、２４：挿抜検出部、２５：プリンタ部、２６：電力供給部、３１：表示Ｉ／Ｆ部、３２：表示コントローラ、３３：Ｒ／Ｗ制御部、３５：通信部、３６：記憶装置、３７：画像処理部、４０：記憶媒体、５０：テレビ、１００：電子アルバムサーバ、２００：携帯電話機、２０１：カメラ部、２０２：画像メモリ、２０３：圧縮伸張部、２０４：メモリ、２０５：表示部、２０６：赤外線通信部、２０７：無線通信部、２０８：操作部、２０９：制御部、２１０：アンテナ、２５０：デジタルカメラ、２５１：メディア
【図１】
2006244175.tif 000003
【図２】
2006244175.tif 000004
【図３】
2006244175.tif 000005
【図４】
2006244175.tif 000006
【図５】
2006244175.tif 000007
【図６】
2006244175.tif 000008
【図７】
2006244175.tif 000009
【図８】
2006244175.tif 000010